(57)【要約】【課題】部分的に切って使用することができ、切り取った部分の電気的接続も簡単に行える表示装置を、簡単な構成によって提供すること。【解決手段】各発光ダイオード１０を長尺な基材上に搭載するとともに、各発光ダイオード１０の各端子を二本の電源線のそれぞれに並列的に接続し、これらの電源線及び各発光ダイオード１０の各端子を絶縁体によって包み込み、各発光ダイオード１０間を電気的に接続している各電源線３１・３２の一部を各発光ダイオード１０間から絶縁体２１の外側に引き出して引出電源線３１ａ・３２ａとして、これら各引出電源線３１ａ・３２ａと、これらの間に位置する絶縁体２１及び基材とを切断したとき、各小表示装置が形成できるようにしたこと。【選択図】図１
2006126617.tif 000002
【特許請求の範囲】
【請求項１】
多数の発光ダイオードを長尺な帯状となるように接続して、所定箇所で切断することにより、複数の小表示装置として形成できるようにした表示装置であって、
前記各発光ダイオードを長尺な基材上に搭載するとともに、各発光ダイオードの各端子を二本の電源線のそれぞれに並列的に接続し、これらの電源線及び各発光ダイオードの各端子を絶縁体によって包み込み、
前記各発光ダイオード間を電気的に接続している各電源線の一部を各発光ダイオード間から前記絶縁体の外側に引き出して引出電源線として、これら各引出電源線と、これらの間に位置する前記絶縁体及び基材とを切断したとき、前記各小表示装置が形成できるようにしたことを特徴とする表示装置。
【請求項２】
前記各発光ダイオードの一方の端子、またはその近傍に所定抵抗を介在させたことを特徴とする請求項１に記載の表示装置。
【請求項３】
多数の発光ダイオードを長尺な帯状となるように接続して、所定箇所で切断することにより、複数の小表示装置として形成できるようにした表示装置であって、
前記各発光ダイオードを長尺な基材上に搭載するとともに、所定数の前記発光ダイオードについて直列接続することにより複数の単位発光ダイオード群とし、
これら各単位発光ダイオード群を、その接続されていない端子を利用して二本の電源線のそれぞれに並列的に接続し、これらの電源線及び各単位発光ダイオード群の各端子を絶縁体によって包み込み、
各単位発光ダイオード群間を電気的に接続している各電源線の一部を各単位発光ダイオード群間から前記絶縁体の外側に引き出して引出電源線として、これら各引出電源線と、これらの間に位置する前記絶縁体及び基材とを切断したとき、前記各小表示装置が形成できるようにしたことを特徴とする表示装置。
【請求項４】
前記各単位発光ダイオード群の一つの端子、またはその近傍に所定抵抗を介在させたことを特徴とする請求項３に記載の表示装置。
【発明の詳細な説明】
【技術分野】
【０００１】
本発明は、多数の発光ダイオードを直列的に連結した表示装置に関し、特に各発光ダイオードを直線状に配列して、適宜長さで切断して分断できるようにした表示装置に関するものである。
【背景技術】
【０００２】
この種の、多数の発光ダイオードを使用した表示装置としては、特許文献１〜特許文献３等において種々提案されてきているものであるが、このような表示装置は、多数の発光ダイオードの配列によって、例えば図８に示すような文字や図形を光で表示するために使用されるものである。
【０００３】
特許文献１には、「光源が切れ難くくてメインテナンスが容易で、維持費が安価になるとともに、光源の配置を容易に変更できるようにする」ことを目的としてなされた「電飾具および電飾装置」が示されており、この電飾装置は、図７に示すように、主として、「商用電源が供給されているコンセントに接続されるプラグ２と、このプラグ２に接続され、交流を直流に整流する整流器３と、この整流器３に接続された点滅器４と、この点滅器４に直列接続された複数の発光ダイオード５とで電飾具１を構成する」といった構成を有したものである。
【０００４】
この特許文献１に記載された電飾装置は、図８及び図９にも示すように、「（符号）１１はＡＢＳ樹脂板で構成された表示部材を示し、表示面である表面に方向を示す図柄としての矢印１１ａが描かれ、この矢印１１ａを描出するために、矢印１１ａの周縁に適宜の間隔で取付部としての複数の取付孔１１ｂが形成」されているものであり（当該文献１の段落００１５）、「（符号）１２は表示部材１１の裏面に取り付けられた補強板、１３は補強板１２の裏面に取り付けられた裏板を示す。なお、各取付孔１１ｂには、表面方向へ光を放出するように発光ダイオード５の発光部５ａが装着されている。そして、発光ダイオード５は、電飾具１を構成する」（当該文献１の段落００１６）ものである。
【０００５】
この特許文献１の発明によれば、「電飾具１を使用しているので、表示部材１１に配線を施す必要がないので、発光ダイオード５の発光部５ａを装着する取付孔１１ｂを変えた別の表示部材１１に取り替え、発光ダイオード５を装着し直すことにより、容易に図柄を変更することができる」（当該文献１の段落００１８）と考えられる。
【０００６】
特許文献２には、「任意の形状の光る像を構成できるだけでなく、量産に適した表示装置の製造方法を提供すること」を目的としてなされた「表示装置の製造方法」が示されており、特許文献１等に記載されている表示装置を量産できるようにすることが考えられている。
【０００７】
この特許文献２の製造方法は、図１０にも示すように、「横長に形成され、中心線３に沿って折り曲げ可能に形成されたフレキシブル基板１の片面に、第１のピッチ毎引出電源線３１ａ１に一対の電極部７が位置するように回路パターンを設ける。電極部のそれぞれにクリーム半田１０を塗布し、フレキシブル基板に発光ダイオードを搭載する。クリーム半田を溶融させた後固化させることで発光ダイオードをフレキシブル基板に固着する。フレキシブル基板を中心線に沿って折り曲げてフレキシブル基板の幅を狭くする。発光ダイオードとフレキシブル基板とを収納体に納める」ものであり、この種の表示装置の量産を行うことができるものと考えられる。
【０００８】
特許文献３は、上述した特許文献２の従来技術（特許文献２の段落０００２〜段落０００４）中に記載のあるもので、図１１に示すように、「直線状に配置される各発光ダイオードを、フレキシブル基板で接続していた」表示装置が示されている。この特許文献３の表示装置によれば、「表示装置の形態を自在に変更し、任意の形状の光る像を構成できる。しかも、表示装置の形態を変更しても、発光ダイオードを接続する内部配線が破損するおそれが少なく、好都合である」と考えられる。
【０００９】
しかしながら、特許文献２の出願人も当該特許文献２中の段落０００３で述べているように、「この（特許文献３の）フレキシブル基板の回路パターンは、発光ダイオードを面実装することを前提に構成されていなかった。このため、この表示装置を製造するには、発光ダイオードのリードを、ひとつひとつ手作業でフレキシブル基板の電極に半田付けする必要があり、大量生産を行うことは困難であった」と考えられる。
【特許文献１】特開平７−２３０２５６号公報、要約、代表図
【特許文献２】特開平１０−１０５０９６号公報、要約、代表図
【特許文献３】実用新案登録第３０２０８８号公報、要約、代表図
【発明の開示】
【発明が解決しようとする課題】
【００１０】
いずれにしても、上記特許文献１〜特許文献３に記載されている、発光ダオードを多数使用して構成した表示装置は、多数の発光ダイオードを直列的に接続しておいて、その配列を種々変えることにより文字や図を表示するようにしたものであり、使用しない部分は切り離さなければならない。
【００１１】
つまり、図７に示した特許文献１の表示装置も、図１１に示した特許文献３の表示装置も、中に通電のための回路パターンまたは配線がしてあるのであるから、この種の表示装置の途中で切断することは、切り取られた部分的な表示装置は使用できないものとなってしまうことになるのである。勿論、後端（図１１ではソケット７または８）で各回路パターンを電気的に接続していた部分も切り離されてしまうことになるから、切り取られた部分にこれらのソケット８または７に代わるものを取り付けなければならない。
【００１２】
換言すれば、上記特許文献１〜３に示されている表示装置は、途中で切断して使用することは全く考慮しておらず、色々な長さの表示装置を用意しておいて、これらを必要な箇所にそれぞれ個別に使用することを前提としていたものである。
【００１３】
ところが、この種の表示装置を使用して表示されるべき文字や図柄を形成しようとすると、多種多様な長さ（発光ダイオードの数が様々な）の表示装置が必要である。そうであれば、最初から十分長い表示装置であって、途中で切断しても簡単に電気的接続が行え、しかも、切り取った表示装置は、別の箇所で使用できるようにすることが求められることになる。
【００１４】
例えば、壁から浮かせた大きな文字の裏側にこの種の表示装置を設置して、この表示装置からの光を壁側に当てることにより、当該文字が間接照明によって浮かび上がるようにすることがなされるが、このような場合には、文字の裏側であって輪郭に沿った部分にこの種の表示装置を取り付けなければならない。この文字の輪郭は「一筆文字」にはならないことが多く、一本の表示装置では輪郭の全てを覆うことができないから、長さの異なる表示装置を種々用意しなければならない、ということになるのである。このような場合に、一本の長尺な表示装置を用意しておき、これを必要な長さに分断して使用できれば、長さの異なる表示装置を種々用意する必要がなくなることになるのである。
【００１５】
そこで、本発明者等は、この種の、多数の発光ダイオードを直列的に接続した表示装置について、部分的に切って使用することができ、しかも、切り取った部分の電気的接続も簡単に行えるようにするにはどうしたらよいか、について種々検討を重ねてきた結果、本発明を完成したのである。
【００１６】
すなわち、本発明の目的とするところは、部分的に切って使用することができ、しかも、切り取った部分の電気的接続も簡単に行える表示装置を、簡単な構成によって提供することにある。
【課題を解決するための手段】
【００１７】
以上の課題を解決するために、まず、請求項１に係る発明の採った手段は、後述する最良の形態の説明中において使用する符号を付して説明すると、
「多数の発光ダイオード１０を長尺な帯状となるように接続して、所定箇所で切断することにより、複数の小表示装置１００ａとして形成できるようにした表示装置１００Ａであって、
各発光ダイオード１０を長尺な基材２０上に搭載するとともに、各発光ダイオード１０の各端子１１を二本の電源線３１・３２のそれぞれに並列的に接続し、これらの電源線３１・３２及び各発光ダイオード１０の各端子１１を絶縁体２１によって包み込み、
各発光ダイオード１０間を電気的に接続している各電源線３１・３２の一部を各発光ダイオード１０間から絶縁体２１の外側に引き出して引出電源線３１ａ・３２ａとして、これら各引出電源線３１ａ・３２ａと、これらの間に位置する絶縁体２１及び基材２０とを切断したとき、各小表示装置１００ａが形成できるようにしたことを特徴とする表示装置１００Ａ」
である。
【００１８】
すなわち、この請求項１に係る表示装置１００Ａは、図１に示すように長尺なものとして形成されているものであるが、図２に示すように、切断線５１によって所定位置で切断することにより、互いに分断された２つの小表示装置１００ａとすることができるようにしたものである。そして、図２中の矢印にて示すように、分断された部分の各引出電源線３１ａ・３２ａを互いに接続するか、ソケット等に連結することにより、各小表示装置１００ａがそれぞれ独立して表示装置としての役割を果たすことができるようにしたものである。
【００１９】
そのために、この請求項１の表示装置１００Ａでは、図３の回路図に示すように、まず、各発光ダイオード１０を長尺な基材２０上に搭載するとともに、各発光ダイオード１０の各端子１１を二本の電源線３１・３２のそれぞれに並列的に接続し、これらの電源線３１・３２及び各発光ダイオード１０の各端子１１を絶縁体２１によって包み込むようにしたものである。これにより、当該表示装置１００Ａ全体としては、各発光ダイオード１０やその端子１１は勿論、各第１電源線３１及び第２電源線３２の保護がなされることになり、当該表示装置１００Ａあるいはこれから分断した小表示装置１００ａについて、絶縁状態を阻害する雨水の浸透防止が図られるのである。
【００２０】
また、第１電源線３１は例えば「＋（プラス）電源」として使用されるものであり、第２電源線３２は「−（マイナス）電源」として使用されるものであるが、図示はしていないが、絶縁被膜によって被覆してある。この被覆は、当該第１電源線３１または第２電源線３２を各発光ダイオード１０の端子１１に電気的な接続を行う際に、熱等によって部分的に除去されるものであり、電気的接続が良好となるようになされることは言うまでもない。
【００２１】
そして、この表示装置１００Ａにおいては、図３にも示すように、各発光ダイオード１０間を電気的に接続している各電源線３１・３２の一部を各発光ダイオード１０間から絶縁体２１の外側に引き出して引出電源線３１ａ・３２ａとなされるのである。これらの引出電源線３１ａ・３２ａの、絶縁体２１からの引出は、当該絶縁体２１を基材２０に対してモールドする際に、第１電源線３１または第２電源線３２の一部を少し引き出しておくことによりなされるものである。
【００２２】
以上のように構成した表示装置１００Ａに対して、図２中の切断線５１にて示すように、所定位置で上述した各引出電源線３１ａ・３２ａと、これらの間に位置する絶縁体２１及び基材２０とを切断すれば、分断部分においては未だ接続されていない２つの小表示装置１００ａが形成される。このとき、この請求項１の表示装置１００Ａでは、各発光ダイオード１０毎に引出電源線３１ａ・３２ａが引き出してあるから、どの部分でも分断が行えるものとなっている。
【００２３】
切断線５１によって所定位置で互いに分断された２つの小表示装置１００ａについては、上述した図２中の矢印にて示すように、分断された部分の各引出電源線３１ａ・３２ａを互いに接続するか、ソケット等に連結することにより、それぞれ独立して表示装置としての役割を果たせるようにするのである。
【００２４】
従って、この請求項１の表示装置１００Ａは、予め非常に長尺なものとして形成しておりても、必要な長さでどこででも分断できるのであり、分断した各小表示装置１００ａについては、その切断部分での電気的接続が引出電源線３１ａ・３２ａにおいて簡単に行えるだけでなく、当該表示装置１００Ａを全く無駄なく使用することができるのである。
【００２５】
上記課題を解決するために、請求項２に係る発明の採った手段は、上記請求項１の表示装置１００Ａについて、
「各発光ダイオード１０の一方の端子１１、またはその近傍に所定抵抗４０を介在させたこと」
である。
【００２６】
上述した請求項１の表示装置１００Ａでは、各発光ダイオード１０自体が必要な抵抗部品を備えていたり、あるいは第１電源線３１または第２電源線３２自体が必要な「線抵抗」を有しているものを想定しているが、この請求項２のそれでは、各発光ダイオード１０自体が抵抗部品を有していない場合を想定したものである。
【００２７】
従って、この請求項２の表示装置１００Ａは、上記請求項１のそれと同様な機能を発揮することは勿論、各所定抵抗４０によって電気的に安定的なものとなっているのである。
【００２８】
そして、上記課題を解決するために、請求項３に係る発明の採った手段は、後述する最良形態の中で使用する符号を付して説明すると、
「多数の発光ダイオード１０を長尺な帯状となるように接続して、所定箇所で切断することにより、複数の小表示装置１００ｂとして形成できるようにした表示装置１００Ｂであって、
各発光ダイオード１０を長尺な基材２０上に搭載するとともに、所定数の発光ダイオード１０について直列接続することにより複数の単位発光ダイオード群１０Ａとし、
これら各単位発光ダイオード群１０Ａを、その接続されていない端子１１を利用して二本の電源線３１・３２のそれぞれに並列的に接続し、これらの電源線３１・３２及び各単位発光ダイオード群１０Ａの各端子１１を絶縁体２０によって包み込み、
各単位発光ダイオード群１０Ａ間を電気的に接続している各電源線３１・３２の一部を各単位発光ダイオード群１０Ａ間から絶縁体２１の外側に引き出して引出電源線３１ａ・３２ａとして、これら各引出電源線３１ａ・３２ａと、これらの間に位置する絶縁体２１及び基材２０とを切断したとき、各小表示装置１００ｂが形成できるようにしたことを特徴とする表示装置１００Ｂ」
である。
【００２９】
すなわち、この請求項３の表示装置１００Ｂは、所定位置での分断が行えるものであることは上述した請求項１または２のそれと同様であるが、所定数（図４〜図６に示す最良形態では４個宛）の各発光ダイオード１０について、図５に示すように、リード線３３によって直列接続することにより複数の単位発光ダイオード群１０Ａとし、これらの単位発光ダイオード群１０Ａを、図６にも示すように、その接続されていない端子１１を利用して二本の電源線３１・３２のそれぞれに並列的に接続し、これらの電源線３１・３２及び各単位発光ダイオード群１０Ａの各端子１１を絶縁体２０によって包み込むようにしたものである。
【００３０】
このとき、この表示装置１００Ｂについて、絶縁体２１により耐水性が図られていること、第１電源線３１及び第２電源線３２が絶縁性の被覆を有していて、電気的接続を行う際には、この被覆が除去されることは、上述した請求項１または２の表示装置１００Ａと同様であるが、単位発光ダイオード群１０Ａを構成している４つの単位発光ダイオード群１０Ａ間がリード線３３を使用して直列的に接続してあることが、請求項１及び２の表示装置１００Ａとは異なっているものである。
【００３１】
なお、単位発光ダイオード群１０Ａを構成している発光ダイオード１０の数については、最良形態の場合には４個であるが、この数は適宜変更できるものであり、また各単位発光ダイオード群１０Ａ毎にこれを構成している発光ダイオード１０の数を変えるようにして実施してもよいものである。
【００３２】
そして、この表示装置１００Ｂでは、これを構成している各単位発光ダイオード群１０Ａ間を電気的に接続している各電源線３１・３２の一部を、図５及び図６に示すように、各単位発光ダイオード群１０Ａ間から絶縁体２１の外側に引き出して、これらを引出電源線３１ａ・３２ａとしてある。
【００３３】
以上のように構成した表示装置１００Ｂでは、所定部分の各引出電源線３１ａ・３２ａと、これらの間に位置する絶縁体２１及び基材２０とを、図４中の切断線５２にて切断したとき、この切断線５２を境とした２つの各小表示装置１００ｂが形成できるのである。
【００３４】
そこで、請求項１の表示装置１００Ａについて前述したのと同様に、図４中の切断線５２によって所定位置で互いに分断した２つの小表示装置１００ｂについて、分断された部分の各引出電源線３１ａ・３２ａを互いに接続するか、ソケット等に連結することにより、各小表示装置１００ｂそれぞれ独立して表示装置としての役割を果たせるようにするのである。
【００３５】
従って、この請求項３の表示装置１００Ｂも、予め非常に長尺なものとして形成しておいても、必要な長さで分断できるのであり、分断した各小表示装置１００ｂについては、その切断部分での電気的接続が引出電源線３１ａ・３２ａにおいて簡単に行えるだけでなく、当該表示装置１００Ｂを全く無駄なく使用することができるのである。
【００３６】
上記課題を解決するために、請求項４に係る発明の採った手段は、上記請求項３の小表示装置１００ｂについて、
「各単位発光ダイオード群１０Ａの一つの端子１１、またはその近傍に所定抵抗４０を介在させたこと」
である。
【００３７】
上述した請求項３の小表示装置１００ｂでは、各発光ダイオード１０自体が必要な抵抗部品を備えていたり、あるいは第１電源線３１または第２電源線３２自体が必要な「線抵抗」を有しているものを想定しているが、この請求項４のそれでは、各発光ダイオード１０自体が抵抗部品を有していない場合を想定したものである。
【００３８】
従って、この請求項４の小表示装置１００ｂも、上記請求項３のそれと同様な機能を発揮することは勿論、各所定抵抗４０によって電気的に安定的なものとなっているのである。
【発明の効果】
【００３９】
以上、詳述した通り、本発明においては、上述したように、
「多数の発光ダイオード１０を長尺な帯状となるように接続して、所定箇所で切断することにより、複数の小表示装置１００ａとして形成できるようにした表示装置１００Ａであって、
各発光ダイオード１０を長尺な基材２０上に搭載するとともに、各発光ダイオード１０の各端子１１を二本の電源線３１・３２のそれぞれに並列的に接続し、これらの電源線３１・３２及び各発光ダイオード１０の各端子１１を絶縁体２１によって包み込み、
各発光ダイオード１０間を電気的に接続している各電源線３１・３２の一部を各発光ダイオード１０間から絶縁体２１の外側に引き出して引出電源線３１ａ・３２ａとして、これら各引出電源線３１ａ・３２ａと、これらの間に位置する絶縁体２１及び基材２０とを切断したとき、各小表示装置１００ａが形成できるようにしたこと」
あるいは、
「多数の発光ダイオード１０を長尺な帯状となるように接続して、所定箇所で切断することにより、複数の小表示装置１００ｂとして形成できるようにした表示装置１００Ｂであって、
各発光ダイオード１０を長尺な基材２０上に搭載するとともに、所定数の発光ダイオード１０について直列接続することにより複数の単位発光ダイオード群１０Ａとし、
これら各単位発光ダイオード群１０Ａを、その接続されていない端子１１を利用して二本の電源線３１・３２のそれぞれに並列的に接続し、これらの電源線３１・３２及び各単位発光ダイオード群１０Ａの各端子１１を絶縁体２０によって包み込み、
各単位発光ダイオード群１０Ａ間を電気的に接続している各電源線３１・３２の一部を各単位発光ダイオード群１０Ａ間から絶縁体２１の外側に引き出して引出電源線３１ａ・３２ａとして、これら各引出電源線３１ａ・３２ａと、これらの間に位置する絶縁体２１及び基材２０とを切断したとき、各小表示装置１００ｂが形成できるようにしたこと」
にその構成上の特徴があり、これにより、部分的に切って使用することができ、しかも、切り取った部分の電気的接続も簡単に行える表示装置１００Ａまたは１００Ｂを、簡単な構成によって提供することができるのである。
【発明を実施するための最良の形態】
【００４０】
次に、以上のように構成した各請求項に係る発明を、図面に示した最良の形態である表示装置１００Ａまたは１００Ｂについて説明するが、図１〜図３には請求項１または請求項２に係る実施例１である表示装置１００Ａが、また図４〜図６には請求項３または請求項４に係る実施例２である表示装置１００Ｂがそれぞれ示してあるから、以下では、実施例１及び実施例２に分けて説明することとする。
【実施例１】
【００４１】
図１〜図３には、請求項１または請求項２に係る表示装置１００Ａが示してある。この表示装置１００Ａでは、各発光ダイオード１０間のどこをとっても切断可能にしたものであり、そのために、各引出電源線３１ａ・３２ａが各発光ダイオード１０の全ての間から引き出されているものである。なお、各発光ダイオード１０が所定抵抗を有していない場合には、図３に示したように、必要な所定抵抗４０を設けるようにして実施すればよい。
【００４２】
つまり、この表示装置１００Ａは、図３に示したように、各発光ダイオード１０を長尺な基材２０上に搭載するとともに、各発光ダイオード１０の各端子１１を二本の電源線３１・３２のそれぞれに並列的に接続したものである。勿論、これらの電源線３１・３２及び各発光ダイオード１０の各端子１１を絶縁体２１によって包み込むことによって、水の浸入を防止して耐久性を高めるだけでなく、屋外での使用も可能となるようにしてある。
【００４３】
本最良形態の絶縁体２１は、発光ダイオード１０と第１電源線３１・３２との接続後に行う第１層目と、外形を整える最外層となる第２層目の２層からなるようにしている。特に最外層は、引出電源線３１ａ・３２ａを引き出してから形成するようにしているので、引出電源線３１ａ・３２ａが引き出されている部分からの水の浸入を確実に防止するようになっている。
【００４４】
また、本最良形態では、この絶縁体２１や、各発光ダイオード１０が搭載される基材２０を軟質な材料によって形成するようにしているから、当該表示装置１００Ａは、図１や図２に示したように、全体として曲げやすいものとなっている。換言すれば、当該表示装置１００Ａが非常に長尺なものであっても、その全体を巻回等の手段によって小さく纏めておくことができるだけでなく、分断された小表示装置１００ａについても、必要な箇所に合わせた曲線や直線に形成できるのである。
【００４５】
そして、この表示装置１００Ａでは、図１及び図２に示したように、各発光ダイオード１０間を電気的に接続している各電源線３１・３２の一部を各発光ダイオード１０間から絶縁体２１の外側に引き出して引出電源線３１ａ・３２ａとしたものである。つまり、この表示装置１００Ａは、各引出電源線３１ａ・３２ａと、これらの間に位置する絶縁体２１及び基材２０とを切断したとき、図２に示したように、例えば２つの小表示装置１００ａが形成できるようにしたものである。
【００４６】
以上のようにして分断された２つの小表示装置１００ａは、図２中の矢印にて示したように、分断された部分の各引出電源線３１ａ・３２ａを互いに接続するか、ソケット等に連結することにより、それぞれが独立した表示装置としての役割が果たせるものとなるのである。
【００４７】
第１電源線３１は、例えば「＋（プラス）電源」として使用されるものであり、第２電源線３２は、「−（マイナス）電源」として使用されるものであるが、絶縁被膜によって被覆してあることは言うまでもない。この被覆は、当該第１電源線３１または第２電源線３２を各発光ダイオード１０の端子１１に電気的な接続を行う際に、熱等によって部分的に除去されることは、前述した通りである。
【００４８】
そして、この表示装置１００Ａは、図３に示したように、各発光ダイオード１０間を電気的に接続している各電源線３１・３２の一部を各発光ダイオード１０間から絶縁体２１の外側に引き出して引出電源線３１ａ・３２ａとしたのであるが、これらの引出電源線３１ａ・３２ａの、絶縁体２１からの引出は、当該絶縁体２１を基材２０に対してモールドする際に、第１電源線３１または第２電源線３２の一部を少し引き出しておくことによりなされる。
【００４９】
以上のように構成した表示装置１００Ａに対して、図２中の切断線５１にて示したように、所定位置で上述した各引出電源線３１ａ・３２ａと、これらの間に位置する絶縁体２１及び基材２０とを切断すれば、分断部分においては未だ接続されていない２つの小表示装置１００ａが形成される。このとき、この表示装置１００Ａでは、各発光ダイオード１０毎に引出電源線３１ａ・３２ａが引き出してあるから、どの部分でも分断が行える。
【００５０】
切断線５１によって所定位置で互いに分断した２つの小表示装置１００ａについては、図２中の矢印にて示したように、分断された部分の各引出電源線３１ａ・３２ａを互いに接続するか、ソケット等に連結することにより、それぞれ独立して表示装置としての役割を果たせるようにするのである。
【００５１】
以上の結果、この実施例１の表示装置１００Ａは、予め非常に長尺なものとして形成しておくことができるものであって、必要な長さでどこででも分断できるのであり、分断した各小表示装置１００ａについては、その切断部分での電気的接続が引出電源線３１ａ・３２ａにおいて簡単に行えるだけでなく、当該表示装置１００Ａの全体が全く無駄なく使用できるのである。
【実施例２】
【００５２】
図４から図５には、請求項３及び請求項４に係る表示装置１００Ｂが示してあるが、この表示装置１００Ｂは、各発光ダイオード１０の４個をリード線３３によって直列接続することにより、一個の単位発光ダイオード群１０Ａとなるようにしてある。そして、これらの各単位発光ダイオード群１０Ａを一つの部品としてみたとき、これら多数の単位発光ダイオード群１０Ａを、図５及び図６に示したように、第１電源線３１と第２電源線３２との間に並列接続することにより、当該表示装置１００Ｂとしたものである。
【００５３】
つまり、この実施例２の表示装置１００Ｂの、実施例１の表示装置１００Ａと異なる点は、所定数の発光ダイオード１０を単位発光ダイオード群１０Ａとし、各単位発光ダイオード群１０Ａについ第１電源線３１・３２間に並列接続したこと、そして、引出電源線３１ａ・３２ａを各単位発光ダイオード群１０Ａ毎に引き出したことであるが、それ以外の部分あるいは構成については実施例１と同様であるので、同様となる部分には、実施例１で使用したのと同一の符号を付して説明を省略する。
【００５４】
なお、単位発光ダイオード群１０Ａを構成している発光ダイオード１０の数については、最良形態の場合には４個としたが、この数は適宜変更できるものであり、また各単位発光ダイオード群１０Ａ毎にこれを構成している発光ダイオード１０の数を、例えば３個、４個、５個、これらの混合となるように変えて実施してもよいことは、前述した通りである。さらに、各単位発光ダイオード群１０Ａについては、その一つの端子１１、またはその近傍に、図６に示したように、所定抵抗４０を介在させることも、必要に応じてなされる。
【００５５】
そして、この表示装置１００Ｂでは、これを構成している各単位発光ダイオード群１０Ａ間を電気的に接続している各電源線３１・３２の一部を、図５及び図６に示したように、各単位発光ダイオード群１０Ａ間から絶縁体２１の外側に引き出して、これらを引出電源線３１ａ・３２ａとしてある。
【００５６】
以上のように構成した表示装置１００Ｂでは、所定部分の各引出電源線３１ａ・３２ａと、これらの間に位置する絶縁体２１及び基材２０とを、図４中の切断線５２にて切断したとき、２個の小表示装置１００ａに分断された図２に示した表示装置１００Ａと同様に、この切断線５２を境とした２つの各小表示装置１００ｂが形成できる。
【００５７】
勿論、図４中の切断線５２によって所定位置で互いに分断した２つの小表示装置１００ｂについて、分断された部分の各引出電源線３１ａ・３２ａを互いに接続するか、ソケット等に連結することにより、各小表示装置１００ｂそれぞれ独立して表示装置としての役割を果たせるようにすることは、上述した表示装置１００Ａの場合と同様である。
【００５８】
つまり、この実施例２の表示装置１００Ｂも、予め非常に長尺なものとして形成しておいても、必要な長さで分断できるのであり、分断した各小表示装置１００ｂについては、その切断部分での電気的接続が引出電源線３１ａ・３２ａにおいて簡単に行えるだけでなく、当該表示装置１００Ｂを全く無駄なく使用することができるのである。
【図面の簡単な説明】
【００５９】
【図１】請求項１または２に係る表示装置の部分斜視図である。
【図２】図１に示した表示装置を分断して２つの小表示装置を形成したときの部分斜視図である。
【図３】請求項１または２に係る表示装置の部分回路図である。
【図４】請求項３または４に係る表示装置の部分斜視図である。
【図５】図４に示した表示装置の部分拡大横断面図である。
【図６】請求項３または４に係る表示装置の部分回路図である。
【図７】従来技術を示す部分斜視図である。
【図８】図７の表示装置を使用して形成した方向を示す看板の正面図である。
【図９】図８中のＡ−Ａ線に沿ってみた断面図である。
【図１０】他の従来技術を示す部分拡大断面図である。
【図１１】さらに他の従来技術を示す斜視図である。
【符号の説明】
【００６０】
１００Ａ・１００Ｂ    表示装置
１００ａ・１００ｂ    小表示装置
１０    発光ダイオード
１０Ａ  単位発光ダイオード群
１１    端子
２０    基材
２１    絶縁体
３１    第１電源線
３１ａ  引出電源線
３２    第２電源線
３２ａ  引出電源線
３３    リード線
４０    所定抵抗
５１    切断線
５２    切断線
【図１】
2006126617.tif 000003
【図２】
2006126617.tif 000004
【図３】
2006126617.tif 000005
【図４】
2006126617.tif 000006
【図５】
2006126617.tif 000007
【図６】
2006126617.tif 000008
【図７】
2006126617.tif 000009
【図８】
2006126617.tif 000010
【図９】
2006126617.tif 000011
【図１０】
2006126617.tif 000012
【図１１】
2006126617.tif 000013